(57)【要約】【課題】ビタミンＣ類を配合しても、架橋高分子のゲル化が良好であり、皮膚に対する粘着性及び保形性に優れた外皮用貼付剤を提供する。【解決手段】水溶性ビタミンＣ誘導体又はその塩及び水溶性高分子を含有する架橋高分子ゲルからなる外皮用貼付剤であって、当該ゲル中に水酸化アルミナマグネシウムを配合してなる外皮用貼付剤。【選択図】  なし【特許請求の範囲】
【請求項１】
水溶性ビタミンＣ誘導体又はその塩及び水溶性高分子を含有する架橋高分子ゲルからなる外皮用貼付剤であって、当該ゲル中に水酸化アルミナマグネシウムを配合してなる外皮用貼付剤。
【請求項２】
水溶性ビタミンＣ誘導体又はその塩がＬ−アスコルビン酸リン酸誘導体又はその塩である請求項１記載の外皮用貼付剤。
【請求項３】
水溶性ビタミンＣ誘導体又はその塩がＬ−アスコルビン酸リン酸マグネシウムである請求項１又は２記載の外皮用貼付剤。
【請求項４】
水酸化アルミナマグネシウムをゲル全量の０．０５〜５．０重量％配合するものである請求項１〜３のいずれか１項記載の外皮用貼付剤。
【請求項５】
水溶性高分子がポリアクリル酸塩を含むものである請求項１〜４のいずれか１項記載の外皮用貼付剤。
【請求項６】
架橋高分子ゲルのｐＨが７．０〜９．５である請求項１〜５のいずれか１項記載の外皮用貼付剤。
【発明の詳細な説明】
【０００１】
【発明の属する技術分野】
本発明は、水溶性高分子の架橋剤として水酸化アルミナマグネシウムを配合した、水溶性ビタミンＣ誘導体又はその塩を含有する外皮用貼付剤に関する。
【０００２】
【従来の技術】
従来の含水性パップ剤等の外皮用貼付剤においては、良好な保水性及び保形性を得るために、通常、高分子物質の架橋剤としてアミノ酸の多価金属誘導体、アミノ酸の多価金属塩等を配合することが行われている（例えば、特許文献１参照）。また、皮膚に対する粘着性、保水性、保形性、薬物放出などの点を更に満足させるべく、架橋剤として水酸化アルミナマグネシウムを配合したパップ剤が知られている（例えば、特許文献２参照）。
【０００３】
一方、ビタミンＣ又はその誘導体及びそれらの塩（ビタミンＣ類）は、皮膚メラニンの生成抑制による色素の異常な沈着を防止する効果が知られており、美白効果を発揮する成分として、化粧液、クリーム、パック等の化粧品に配合されている。このうち、パックとしては、薬液を手に取る手間が省け、取扱いが簡便なシート状の含浸性パックが市販されている。しかし、当該含浸性パックは、薬液を不織布に含浸させているだけであり、使用時に薬液が外部に流れ出て手などを汚したり、含浸性パックが脱落したり、使用後に洗浄除去の作業が面倒である等の問題があった。そのため、保形性のある粘着性の貼付剤が望まれていた。
【０００４】
ところが、ビタミンＣ類を粘着性の貼付剤基剤に添加すると、ビタミンＣ類と金属架橋剤の相互作用により、水溶性高分子間に架橋が形成されないために安定した架橋高分子ゲルを形成することができず、貼付剤としての成形が困難であるという問題点があった。これに対して、架橋剤としてメタケイ酸アルミン酸マグネシウム、乾燥水酸化アルミニウムゲル及び塩化アルミニウムの内の２種を配合することにより、前記問題点を解決したパップ剤が考案されている（例えば、特許文献３参照）が、粘着性、長期安定性等の点で必ずしも満足のいくものは得られていない。
【０００５】
【特許文献１】
特開昭６０−２６０５１３号公報
【特許文献２】
特公平４−５０２９１号公報
【特許文献３】
特開２００１−６４１７５号公報
【０００６】
【発明が解決しようとする課題】
本発明は、ビタミンＣ類を配合しても、水溶性高分子のゲル化が良好で、皮膚に対する粘着性及び保形性に優れた外皮用貼付剤を提供することを目的とする。
【０００７】
【課題を解決するための手段】
本発明者らは、上記課題を解決するために鋭意検討した結果、ビタミンＣ類の内、水溶性ビタミンＣ誘導体又はその塩を含有し、且つ架橋剤として水酸化アルミナマグネシウムを使用した場合に、水溶性高分子のゲル化が良好で、皮膚に対する粘着性及び保形性に優れ、且つゲルの外観が変化しない安定なビタミンＣ類配合外皮用貼付剤を得られることを見出し、本発明を完成した。
【０００８】
すなわち、本発明は、水溶性ビタミンＣ誘導体又はその塩及び水溶性高分子を含有する架橋高分子ゲルからなる外皮用貼付剤であって、当該ゲル中に水酸化アルミナマグネシウムを配合してなる外皮用貼付剤を提供するものである。
【０００９】
【発明の実施の形態】
本発明の外皮用貼付剤は、水溶性ビタミンＣ誘導体又はその塩を含有し、水溶性高分子の架橋剤として、水酸化アルミナマグネシウムを用いるものである。パップ剤等の外皮用貼付剤の架橋高分子ゲルにビタミンＣ類を配合すると、通常、ビタミンＣ類と架橋剤との相互作用により、水溶性高分子間に架橋が形成され難くなるが、水酸化アルミナマグネシウムを架橋剤として用いることにより、高分子間に好適に架橋が形成される。すなわち、水酸化アルミナマグネシウムを架橋剤として配合した水溶性高分子は、架橋剤としてメタケイ酸アルミン酸マグネシウム、ジヒドロキシアルミニウムアミノアセテート、合成ケイ酸アルミニウム、合成ヒドロタルサイト等を単独又は複数組み合わせて使用した場合と比較して、ビタミンＣ類の存在下、強度に架橋され、優れた保形性を有するゲルを形成することができる。
【００１０】
水酸化アルミナマグネシウムは、例えば、「サナルミン」（協和化学工業（株））を使用することができる。ここで「サナルミン」は、通常のベルトコンベアードライ製品よりもスプレードライ製品である「サナルミンＳ」がより好ましく、これを用いることにより架橋形成が早く、且つより少量で粘着性及び保形性が優れたものが得られる。
【００１１】
水酸化アルミナマグネシウムの配合量は、架橋高分子ゲル全量に対し、０．０５〜５．０重量％とするのが好ましく、０．１〜４．０重量％とするのがより好ましく、０．２〜３．０重量％とするのが特に好ましい。
【００１２】
水溶性高分子としては、特公平４−５０２９１号公報又は特開２００１−６４１７５号公報に記載のものを好適に使用できる。具体的には、ポリアクリル酸塩（ポリアクリル酸ナトリウム、ポリアクリル酸カリウム等）、ポリアクリル酸、ポリビニルアルコール、メチルビニルエーテル・無水マレイン酸共重合体、アルギン酸ナトリウム等のアルギン酸塩、カルボキシビニルポリマー、ゼラチン、アラビアゴム、グルコマンナン、キサンタンガム、トラガントガム等の天然高分子、ヒドロキシプロピルセルロース、カルボキシメチルセルロース、カルボキシメチルセルロースナトリウム等のカルボキシメチルセルロース塩、メチルセルロース、エチルセルロース等のセルロース類、ポリエチレンオキサイド等が挙げられる。
【００１３】
これらの高分子のうちでは、ポリアクリル酸塩が好ましく、またそれらのうち、完全中和物がより好ましい。ポリアクリル酸塩は、単独で使用してもよいが、ポリアクリル酸塩に更に他の高分子、例えば、ヒドロキシプロピルセルロース、ポリビニルアルコール、アルギン酸ナトリウム、カルボキシメチルセルロースナトリウム、カルボキシビニルポリマー等を１又は２以上組み合わせて使用することができる。例えば、ポリアクリル酸ナトリウムにカルボキシビニルポリマーを組み合わせることで、より保形性が良く、粘着性も向上させることができる。
ここで粘着性においては、ＪＩＳ  Ｚ０２３７  ボールタック測定法により、各貼付部位における好適な粘着力に調整することも可能である。
【００１４】
水溶性高分子の含有量は、選択する高分子の種類により異なるが、架橋高分子ゲル全量に対して１〜３０重量％であるのが好ましく、４〜２０重量％であるのがより好ましい。尚、ポリアクリル酸塩と他の高分子を併用する場合、ポリアクリル酸塩の含有量を０．５〜２９．５重量％とするのが好ましく、更に３．５〜１９．５重量％とするのがより好ましい。また、他の高分子の総含有量を０．０１〜１０．０重量％とするのが好ましく、更に０．１〜５．０重量％とするのがより好ましい。高分子の含有量をこのように調整することにより、保形性が良く、且つ粘着性のよい外皮用貼付剤を製造することができる。
【００１５】
水溶性ビタミンＣ誘導体としては、例えば、Ｌ−アスコルビン酸リン酸、Ｌ−アスコルビン酸リン酸アミノプロピル等のＬ−アスコルビン酸のリン酸誘導体；Ｌ−アスコルビン酸の硫酸誘導体；Ｌ−アスコルビン酸グルコシド等のＬ−アスコルビン酸の糖誘導体等が挙げられる。そして、これらの塩としてはナトリウム塩、カルシウム塩、マグネシウム塩、亜鉛塩等が挙げられ、ナトリウム塩及びマグネシウム塩が好ましい。水溶性ビタミンＣ誘導体又はその塩としては、Ｌ−アスコルビン酸リン酸誘導体又はその塩が好ましく、Ｌ−アスコルビン酸リン酸マグネシウムが特に好ましい。
斯かる水溶性ビタミンＣ誘導体又はその塩は、２種類以上を組み合わせて使用することもできる。
【００１６】
水溶性ビタミンＣ誘導体又はその塩の含有量は、架橋高分子ゲル全量に対して、０．０１〜２０重量％であるのが好ましく、より好ましくは０．１〜１５重量％、更に好ましくは０．２〜１０．０重量％である。
【００１７】
本発明の外皮用貼付剤を使用すると、水溶性ビタミンＣ誘導体又はその塩が効率良く経皮吸収され、ビタミンＣがもつ皮膚メラニンの生成抑制作用、メラノサイトの増殖抑制作用、抗酸化作用（活性酸素除去作用）、コラーゲン合成促進作用、皮脂分泌抑制作用、紫外線による細胞及びＤＮＡ障害の防御作用、皮膚修復作用、皮膚新陳代謝の促進作用、組織構築作用等に基づく各種効果、例えば美白・美肌効果、光による老化及び皮膚ガンの予防・治療効果、シミ・ソバカス・アザの予防・治療効果、皮膚のハリを保つ効果、シワの予防・治療効果、傷痕・ニキビ痕等の修復促進効果、皮膚酸化抑制効果、ニキビの予防・改善効果、火傷・擦り傷などに対する皮膚の修復促進効果、皮膚炎症の予防・治療効果、コレステロールの低下効果、発ガン性物質の防止効果、静脈中の血栓減少効果等を得ることができる。
【００１８】
本発明の外皮用貼付剤には、有効成分、水溶性高分子、保湿剤、架橋剤、防腐剤等の分散・溶解ために適量の水が使用される。また、水が揮発することにより気化熱を奪い、顔の火照りや炎症を抑えると同時に心地よい清涼感を与える効果を期待できる。水の含有量は、架橋高分子ゲル全量に対して２０〜８０重量％であるのが好ましく、より好ましくは４０〜６５重量％である。
【００１９】
本発明の外皮用貼付剤に用いられる、水酸化アルミナマグネシウムを架橋剤として配合してなる架橋高分子ゲルは、酸性〜アルカリ性の広いｐＨ領域において良好な保形性及び粘着性を維持することができるが、水溶性ビタミンＣ誘導体又はその塩の長期保存下における安定性及び皮膚への刺激性等から、架橋高分子ゲルのｐＨは７．０〜９．５とするのが好ましい。ｐＨが７．０より低いと薬物の安定性に問題があり、ｐＨが９．５より高いと皮膚への刺激性があることから、架橋高分子ゲルのｐＨは７．０〜９．５であることが好ましい。
【００２０】
本発明の外皮用貼付剤は、水溶性ビタミンＣ誘導体又はその塩の他に、美肌成分、清涼・鎮静成分等の有効成分を配合することができる。美肌成分としては、酵母；カモミール、ラベンダー、メリッサ、ローズ等のハーブエキス；米発酵エキス、米糠発酵エキス等の穀物エキス；甘草エキス、イリス根エキス、バラエキス、ゴボウエキス、マヨラナエキス、ブナエキス、西洋唐花草エキス、アロエエキス、ヘチマエキス、ユキノシタエキス、ウイキョウエキス、火棘エキス、緑茶エキス、人参エキス等の植物エキス；スパ成分、マイナスイオン成分、ミネラル等の天然成分；レチノール、トコフェロール等のビタミン類；海藻エキス；セラミド；生薬；オリゴ糖；タンパク質；アラントイン；コラーゲン；アマドリン；ヒアルロン酸ナトリウム；尿素；グリセリン；ソルビトール；プロピレングリコール；ブチレングリコール；マルチノール；スクワラン；コウジ酸；水溶性プラセンタエキス；ハイドロキノン誘導体等を適宜配合することができる。清涼・鎮静成分としてはＬ−メントール、ＤＬ−メントール、ＤＬ−カンフル、ユーカリ油、ハッカ油、イソプレゴール、３−Ｌ−メントキシプロパン−１，２−ジオール、Ｌ−メンチル−３−ヒドロキシブチレート等を適宜配合することができる。
また、医薬品で使用されている鎮痛消炎剤、抗炎症剤、血行促進剤等を適宜配合することができる。
【００２１】
本発明の外皮用貼付剤には、更に、通常のパップ剤、パック剤などに用いられる保湿剤を配合してもよい。保湿剤としては、濃グリセリン、グリセリン、ソルビトール液、プロピレングリコール、１，３−ブチレングリコール、ポリエチレングリコール等の多価アルコールが挙げられる。これらのうちでは、濃グリセリン、グリセリン又はソルビトール液が好ましい。多価アルコールの含有量は、架橋高分子ゲル全量に対して５〜５０重量％であることが好ましく、１０〜４０重量％であることがより好ましい。これらの多価アルコールを適量な範囲で配合することにより、保形性及び粘着性を長期間維持することができる。
【００２２】
本発明の外皮用貼付剤には、更にまた、通常のパップ剤、パック剤等に用いられる種々の添加剤を配合することができる。添加剤としては、エタノール、イソプロパノール等のアルコール類；亜硫酸水素ナトリウム、酢酸トコフェロール等の酸化防止剤；メントール等の吸収促進剤；カルボキシビニルポリマー、アルギン酸ナトリウム、カラギーナン、カルボキシメチルセルロースナトリウム、ヒドロキシプロピルセルロース等の増粘剤；メチルパラベン、プロピルパラベン、ブチルパラベン、フェノキシエタノール等の防腐剤；セスキオレイン酸ソルビタン、硬化ヒマシ油等の界面活性剤；ホホバ油、ユーカリ油、ヒマシ油等の油分；水酸化ナトリウム等のｐＨ調整剤；香料；色素等が挙げられる。また、その配合量についても、特に限定されるものではなく、適宜その使用目的に応じて調節することができる。
【００２３】
尚、エチレンジアミン四酢酸、エデト酸ナトリウム等のキレート剤、酒石酸等のジカルボン酸及びトリエタノールアミン等のアミン類は、架橋の形成に影響し、また架橋しても架橋高分子ゲルが解離し易くなるため、配合量は微量とするか配合しないことが望ましい。
【００２４】
本発明の外皮用貼付剤には、更にまた、カオリン、ベントナイト、酸化チタン等の無機物を配合してもよい。無機物のうちではカオリンを使用することが好ましい。
【００２５】
本発明の外皮用貼付剤の形態としては、パップ剤、化粧用のパック剤、ゲルシート等が挙げられ、使い易さや水溶性ビタミンＣ誘導体又はその塩、その他の有効成分の効果の維持という点から、パック剤が好ましい。
【００２６】
本発明の外皮用貼付剤は、例えば、上記の各成分を均一に練合してペースト状に調製して作製した高分子ゲルを、常法に従って支持体に塗布し展延することにより製造することができる。ここで支持体としては、合成繊維、脱脂綿等の不織布又は織布；紙；ポリエチレン、ポリプロピレン、ポリウレタン、塩化ビニル、ポリエステル、ポリアミド、レイヨン等の合成樹脂製フィルム；前記合成樹脂製フィルムと不織布又は織布の積層体等が挙げられる。積層体の支持体を使用する場合、合成樹脂製フィルムの材料を選択したり、細孔を施したりすることで透湿度を調節できる。透湿度を上げることで皮膚刺激性を低減させた貼付剤を作製したり、透湿度を下げることでＯＤＴ効果を利用した高吸収性の貼付剤を作製したりすることも可能である。支持体は伸縮性・非伸縮性のどちらでも問題ないが、適用部位に応じて適度な伸縮性を示すものが好ましい。支持体に展延後、ゲルを保護するために、ゲル表面に剥離紙を貼り合わせてもよい。また、支持体を用いないでゲルを合成樹脂製フィルムに展延したり、型で成形したりすることにより、架橋高分子ゲルだけの成形パック剤としてもよい。
【００２７】
【実施例】
以下に実施例を挙げて本発明を更に詳細に説明するが、本発明はこれらに限定されるものではない。
【００２８】
［実施例１］
下記の表１に示す成分（３）、成分（４）、成分（５）及び成分（７）をよく混合し、ここに成分（１３）及び成分（２０）を成分（８）に分散した液を加えてよく混合した（混合液ａ１）。更に成分（１０）を混合液ａ１に加えてよく混合した（混合液ｂ１）。別に成分（１）、成分（２１）、成分（２５）、成分（２７）を成分（３２）で前処理した液を混合液ｂ１に加えてよく混合してゲルを得た。次いで、得られたゲルをポリエステル繊維からなる基布に、１０００ｇ／ｍ２となるようにライナーで展延し、裁断してアルミ袋に入れ、本発明の外皮用貼付剤１を製造した。
【００２９】
［実施例２］
成分（７）を除去し、成分（８）の代わりに成分（９）を加える以外は実施例１と同様にして、本発明の外皮用貼付剤２を製造した。
【００３０】
［実施例３］
成分（３）、成分（４）、成分（５）、成分（６）及び成分（７）をよく混合し、ここに成分（１３）、成分（１８）、（２０）及び成分（２３）を成分（８）及び成分（１２）に分散した液を加えてよく混合した（混合液ａ３）。更に成分（１０）を混合液ａ３に加えてよく混合した（混合液ｂ３）。別に成分（１）、成分（２４）、成分（２７）を成分（３２）で前処理した液を混合液ｂ３に加えてよく混合してゲルを得、実施例１と同様にして、本発明の外皮用貼付剤３を製造した。
【００３１】
［実施例４］
成分（３）、成分（４）、成分（５）及び成分（６）をよく混合し、ここに成分（１３）及び成分（２０）を成分（９）及び成分（１１）に分散した液を加えてよく混合した（混合液ａ４）。更に成分（１０）を混合液ａ４に加えてよく混合した（混合液ｂ４）。別に成分（１）、成分（２１）、成分（２２）、成分（２７）を成分（３２）で前処理した液を混合液ｂ４に加えてよく混合してゲルを得、実施例１と同様にして、本発明の外皮用貼付剤４を製造した。
【００３２】
［実施例５及び６］
ポリエステル繊維からなる不織布とポリウレタンフィルムとを積層した基布の不織布側に得られたゲルを展延する以外、実施例１と同様にして、本発明の外皮用貼付剤５及び６を製造した。
【００３３】
［比較例１］
成分（１３）の代わりに成分（１４）を配合する以外は実施例１と同様にして、外皮用貼付剤１−１を製造した。
【００３４】
［比較例２］
成分（１３）の代わりに成分（１５）を配合する以外は実施例１と同様にして、外皮用貼付剤１−２を製造した。
【００３５】
［比較例３］
成分（１３）の代わりに成分（１６）を配合する以外は実施例１と同様にして、外皮用貼付剤１−３を製造した。
【００３６】
［比較例４］
成分（１３）の代わりに成分（１７）を配合する以外は実施例１と同様にして、外皮用貼付剤１−４を製造した。
【００３７】
［比較例５］
成分（１３）の代わりに成分（１８）を配合する以外は実施例１と同様にして、外皮用貼付剤１−５を製造した。
【００３８】
［比較例６］
成分（３）、成分（４）、成分（１３）、成分（２０）及び成分（３０）を成分（９）、成分（１１）及び成分（２９）で分散・混合した（混合液ａ６）。ここに成分（１０）を混合液ａ６に加えてよく混合した（混合液ｂ６）。別に成分（２）、成分（２４）、成分（２７）を成分（３２）で前処理した液を混合液ｂ６に加えてよく混合してゲルを得、実施例１と同様にして、本発明の外皮用貼付剤１−６を製造した。
【００３９】
［比較例７］
成分（３）、成分（４）、成分（１３）、成分（２６）、成分（２８）、成分（３０）及び成分（３１）を成分（９）及び成分（１１）で分散・混合した（混合液ａ７）。ここに成分（１０）を混合液ａ７に加えてよく混合した（混合液ｂ７）。別に成分（２）、成分（２４）、成分（２５）、成分（２７）を成分（３２）で前処理した液を混合液ｂ７に加えてよく混合してゲルを得、実施例１と同様にして、本発明の外皮用貼付剤１−７を製造した。
【００４０】
［比較例８］
成分（３）、成分（４）、成分（１８）、成分（１９）、成分（２０）及び成分（３０）を成分（９）及び成分（２９）で分散・混合した（混合液ａ８）。ここに成分（１０）を混合液ａ８に加えてよく混合した（混合液ｂ８）。別に成分（１）、成分（２４）、成分（２７）を成分（３２）で前処理した液を混合液ｂ８に加えてよく混合してゲルを得、実施例１と同様にして、本発明の外皮用貼付剤１−８を製造した。
【００４１】
［比較例９］
成分（３）、成分（４）、成分（１６）、成分（１８）、成分（２０）及び成分（３０）を成分（９）及び成分（１１）で分散・混合した（混合液ａ９）。ここに成分（１０）を混合液ａ９に加えてよく混合した（混合液ｂ９）。別に成分（１）成分（２４）、成分（２７）を成分（３２）で前処理した液を混合液９に加えてよく混合してゲルを得、実施例１と同様にして、本発明の外皮用貼付剤１−９を製造した。
【００４２】
【表１】
2005023040.tif 000002
【００４３】
［外皮用貼付剤の評価１］
実施例及び比較例の外皮用貼付剤について５０℃で３日間保存し、ゲル化、粘着力及び外観について評価を行った。ゲルの解離は、ゲル化したサンプルを８０℃で７日間保存し，ゲルの状態を観察した。但し、粘着力、外観及びゲルの解離については、ゲル化したサンプルのみ評価を行った。結果を表２に示す。
（Ａ）ゲル化の判定基準；貼付後の残存ゲルの有無で評価した。
−：全くなし、＋：残膏あり
（Ｂ）粘着力の判定基準；ヒト皮膚に貼付した時の粘着力で評価した。
−：良好、＋：悪い
（Ｃ）外観の判定基準；ゲルの色調を目視により評価した。
−：変化なし、±：わずかな褐変あり、＋：かなりの褐変あり
（Ｄ）ゲルの解離の判定基準；
−：問題なし、
＋：ゲル架橋が壊れ、貼付後に残膏がある状態。
【００４４】
【表２】
2005023040.tif 000003
【００４５】
［外皮用貼付剤の評価２］
（１）ゲルのｐＨ
ゲル５ｇと精製水５０ｍＬをホモジナイズした溶液のｐＨをｐＨメーターで測定した。
【００４６】
（２）Ｌ−アスコルビン酸リン酸マグネシウムの安定性
サンプルを４０℃、７５％ＲＨで保存し、０箇月、３箇月及び６箇月の各々の含量を測定した。Ｌ−アスコルビン酸リン酸マグネシウムの含量は、ホモジナイザーにて抽出し，下記の条件により、内標準法によりＨＰＬＣ法で測定した。内標準物質はマレイン酸を使用して測定した。結果を表３に示す。
【００４７】
（３）操作条件
検出器：紫外吸光光度計（測定波長：２５４ｎｍ）
分離管：内径４．６ｍｍ、長さ１５０ｍｍのステンレス管に、オクタデシル基で修飾した５μｍのシリカゲルを充填する。
移動相：２．８ｍＭ  ｎ−ヘキシルアミン、０．１ｍＭエデト酸二ナトリウム及び２％メタノールを含むように調製した０．０８Ｍ酢酸−酢酸ナトリウム緩衝液（ｐＨ５．０）
流速：０．７ｍＬ／分
【００４８】
【表３】
2005023040.tif 000004
【００４９】
表２及び表３より、本発明の外皮用貼付剤は、ゲル化、皮膚への粘着性及び保形性が良好で、且つゲルの色調の変化がなく、しかも安定性に優れることが認められた。
【００５０】
【発明の効果】
水酸化アルミナマグネシウムを架橋剤として使用する本発明の外皮用貼付剤は、メタケイ酸アルミン酸マグネシウム、ジヒドロキシアルミニウムアミノアセテート、合成ケイ酸アルミニウム、合成ヒドロタルサイト等、数多くある他の架橋剤の単独又は複数を組み合わせて使用した場合に比較して、水溶性高分子が強度に架橋されたゲルが形成でき、しかも長期保存した場合においてもゲルの解離がなく、ゲルの色調にも変化がなく、安定で、且つ粘着力及び保形性が良好であることから、色素沈着防止（美白・美肌）等のビタミンＣの効果を安定して発揮し得る貼付剤として極めて有用である。